(57)【特許請求の範囲】
【請求項１】
クラッシャー装置と、該クラッシャーの上方に設けられたホース懸架装置とからなり、ホース懸架装置は、中央の固定梁と、該固定梁の左右両側に対称かつ水平方向に突出させた懸架アームと、該懸架アームの自由端に設けられたところの、クラッシャー装置の上方に延びるホッパーの側壁によるホース外れ止め手段とを有することを特徴とする消防ホース破砕機。
【請求項２】
クラッシャー装置と、該クラッシャーの上方に設けられたホース懸架装置とからなり、ホース懸架装置は、中央の固定梁と、該固定梁の左右両側に対称かつ水平方向に突出させた懸架アームと、該懸架アームの自由端に設けられたところの、クラッシャー装置の上方に延び、しかも基部を支点に、上方部が上記懸架アームの自由端に向けて接離自在に外方に開閉可能に設けられたホッパーの側壁によるホース外れ止め手段とを有することを特徴とする消防ホース破砕機。
【請求項３】
中央の固定梁の左右両側に対称かつ水平方向に突出させた懸架アームの少なくとも一方には、巻回ハンドルが着脱自在に取り付けられるようにした請求項１又は請求項２に記載の消防ホース破砕機。
【発明の詳細な説明】
【０００１】
【発明の属する技術分野】
本発明は、使い古した消防ホースを細かく破砕するための処分用破砕機に関し、破砕処理の容易化と効率化、ならびに安全性の向上をはかることを目的とする。
【０００２】
【従来の技術】
消防ホースは一定期間毎に新品と交換され、古い消防ホースはその全てが廃棄処理されることになる。  そして使い古された消防ホースの廃棄処理の方法としては、ある程度の短い間隔毎に切断して重油と混ぜて燃やしたり、あるいは風炉屋の補助燃料として用いられ、さらには埋め立て地に廃棄されたりすることがおこなわれている。
【０００３】
【発明が解決しようとする課題】
しかしながら、消防ホースはテトロン、ビニロン、ナイロン等の合成繊維のほか、アラミド繊維等の強力な繊維質のものを筒状に形成して用いられ、しかも該筒状をしたホースの内面には天然あるいは合成ゴムが一体にひかれているために、これをこのまま焼却しようとしても容易に燃焼できず、また有害ガスを発生するために多量の焼却は不可能である。  そのために１本当たり少なくとも数十メートルという長さを有する長尺のホースを大型のハサミや剪断機を用いて、その長さ方向にわたって一定の間隔毎に小刻みに切断もしくは剪断する場合には多大の労力を要するのみならず、ハサミや剪断機の刃にホース内面のゴムが付着して短時間にしてもはや切断もしくは剪断不能となりやすい。
【０００４】
【課題を解決するための手段】
そこで本発明にあっては、上記した種々の課題を解決し、使い古された消防ホースを容易かつ効率的に、しかも安全に廃棄処理することができるようにしたものであって、具体的にはクラッシャー装置と、該クラッシャーの上方に設けられたホース懸架装置とからなり、ホース懸架装置は、中央の固定梁と、該固定梁の左右両側に対称かつ水平方向に突出させた懸架アームと、該懸架アームの自由端に設けられたところの、クラッシャー装置の上方に延びるホッパーの側壁によるホース外れ止め手段とを有することを特徴とする消防ホース破砕機に関する。
【０００５】
また本発明は、クラッシャー装置と、該クラッシャーの上方に設けられたホース懸架装置とからなり、ホース懸架装置は、中央の固定梁と、該固定梁の左右両側に対称かつ水平方向に突出させた懸架アームと、該懸架アームの自由端に設けられたところの、クラッシャー装置の上方に延び、しかも基部を支点に、上方部が上記懸架アームの自由端に向けて接離自在に外方に開閉可能に設けられたホッパーの側壁によるホース外れ止め手段とを有することを特徴とする消防ホース破砕機にも関する。
【０００７】
上記した構成において、ホース懸架装置の懸架アームに、巻回された使い古しの消防ホースを、その巻回軸芯部を上記懸架アームに引き通して保持させ、しかも懸架アームの自由端にホース外れ止め手段を施した後、ホースの先端部から順次引き出して下方のクラッシャー装置に噛み込ませながらホースの長さ方向に順次破砕してゆく。
【０００８】
【発明の実施の形態】
以下において本発明の具体的な内容を、図１〜３の実施例をもとに説明すると、１はクラッシャー装置、１０は該クラッシャー装置１の上方に設けられたホース懸架装置をあらわす。  クラッシャー装置１は互いに平行する回転軸にギア状の噛み合い歯２・２を取り付けて、モータ３の駆動力を得て上記回転軸を回転させるようにし、これに伴って両方の噛み合い歯２・２間に送り込まれた物体を順次剪断することができるようにした既知のミルタイプの構造のものが用いられる。
【０００９】
またこれ以外に波形の協働破砕ローラを用いたもの、あるいは回転軸に多数の切断ナイフを取り付けたもの等、要するに送り込まれた消防ホースを、その長さ方向にわたって順次細断できるものであれば適用が可能である。  なお図において４はクラッシャー装置１の全周囲を取り囲む各面の壁面より斜め上方外方に向けて起立させたホッパーをあらわしている。
【００１０】
ホース懸架装置１０は、破砕機の左右両側面間に架け渡された固定梁８と、該固定梁８の両側に、自由端を互いに対称かつ水平方向に向けて取り付けた懸架アーム９ａ・９ｂと、該懸架アーム９ａ・９ｂのそれぞれの自由端に設けられたホース外れ止め手段とから構成される。  すなわち上記したクラッシャー装置１の周囲を囲むホッパー４のうち、噛み合い歯２・２を取り付けた回転軸に平行な部分のホッパー４．４に、その上方にホッパー起立壁７・７が相互に対面して取り付けられており、しかもこの対面したホッパー起立壁７．７のそれぞれの中間部にはホッパー内を跨ぐ中央の固定梁８の端部が溶接により一体に取りつけられている。
【００１１】
さらに固定梁８の中間部にはこれと直交する方向（破砕機の正面方向および背面方向）に向けてそれぞれ自由端を突出させ、しかも回転可能に懸架アーム９が取り付けられている。  すなわちこの懸架アーム９は、中間部を前記した固定梁８に支持させるとともに、これを適当な固定具９ｃ．９ｃにより回転自在に懸架アーム９に支承させることにより、固定梁８の左右両側に、対称かつ水平方向に突出させた懸架アーム９ａ・９ｂを構成する。  なおこの懸架アーム９ａ・９ｂの少なくとも一方の自由端にはハンドルはめ込み部分を形成して、これにハンドル９ｄを着脱自在に取り付け可能に構成する。
【００１２】
またホース外れ止め手段の構造としては、格別限定されるものではないが、本実施例においては前記したクラッシャー装置１の周囲を囲むホッパー４のうち、破砕機正面および背面側に位置する部分のホッパー４．４の上端部にヒンジ５．５を介して外側に開閉可能なホッパー側壁６．６を形成し、しかもこれらのホッパー側壁６．６のそれぞれの上端縁中央部に凹部６ａを形成し、ホッパー側壁６．６を垂直に立ち上がらせた状態において前記したそれぞれの懸架アーム９ａ・９ｂの自由端部が上記した凹部６ａ内に近接し、これによって懸架アーム９ａ・９ｂに懸架させた巻回消防ホースＨの側方への抜け止めを阻止することができるようになっている。
【００１３】
しかし必ずしもこのような構造にする必要はなく、このほかにも例えばそれぞれの懸架アーム９ａ・９ｂに巻回消防ホースＨを支承させた状態において、その自由端部に巻回消防ホースＨの巻回軸穴より径大のディスクを取り付け、あるいはピン穴を形成して該ピン穴内にピン（図示省略）を挿通させ、該懸架アーム９ａ・９ｂの軸方向に対して交差する方向に向けてピンの両端部を突出させることにより巻回消防ホースＨの側面方向への抜け出しを阻止するようにしてもよい。
【００１４】
なお図において１１は、クラッシャー装置１およびホース懸架装置１０を載せるための架台をあらわし、しかも該架台１１の中央部であって、クラッシャー装置１の直下に、クラッシャー装置１によって破砕された消防ホースＨの破砕屑を通過させるのに十分な大きさの通孔（図示省略）が形成され、しかも該通孔の直下に位置して上部を開口させたところのキャスター付きチップボックス１２が配置されている。
【００１５】
上記した構成において、破砕機正面側および背面側のホッパー側壁６．６を図１にあらわしたように外側に解放する等により、懸架アーム９ａ・９ｂにおける自由端のホース外れ止め手段を解除し、この状態において破砕機正面および背面側から、それぞれの懸架アーム９ａ・９ｂに巻回された使い古しの消防ホースＨを懸架保持させる（図１においてはクラッシャー装置１の内部をあらわす都合上から懸架アーム９ｂにのみ消防ホースＨを懸架保持させた状態があらわされいる）。  次いで前記したホッパー側壁６．６を垂直方向に起立させる等により懸架アーム９ａ・９ｂにおける自由端のホース外れ止め手段を講じ、最後に必要に応じてハンドル９ｄを懸架アーム９ａ・９ｂの何れか一方に取り付ける。
【００１６】
その後モータ３を起動させてクラッシャー装置１を駆動させ、必要に応じてハンドル９ｄを回転させながら巻回された消防ホースＨの外周側端部をクラッシャー装置１内に垂下させて噛み合い歯２．２間に噛み込ませ、これによって順次消防ホースＨを、その全長にわたり細かく粉砕してゆく。  粉砕された消防ホースＨの屑は、ホッパー内を下り、チップボックス１２内に落下する。
【００１７】
【発明の効果】
本発明は上記した通り、クラッシャー装置と、該クラッシャーの上方に設けられたホース懸架装置とからなり、ホース懸架装置は、中央の固定梁と、該固定梁の左右両側に対称かつ水平方向に突出させた懸架アームとからなるものであるために、１度に２つの巻回された使い古しの長尺消防ホースの破砕処理をおこなうことが可能となり、破砕処理の安全かつ容易化のみならず、著しい効率化をはかることができる。  またホース懸架装置がクラッシャー装置の上方に延びるホッパーの側壁であり、しかも該側壁がホッパー基部を支点に、上方部が上記懸架アームの自由端に向けて接離自在に外方に開閉可能に設けられている場合においては、ホッパー側壁を外方に開披させることにより、処分しようとする巻回させた消防ホースを懸架アームに対して一層容易に担持させることができる。
【図面の簡単な説明】
【図１】本発明の一実施例である消防ホース破砕機の斜視図。
【図２】消防ホース破砕機の正面図。
【図３】消防ホース破砕機の側面図。
【符号の説明】
１        クラッシャー装置
２        噛み合い歯
３        モータ
４        ホッパー
５        ヒンジ
６        ホッパー側壁
７        ホッパー起立壁
８        固定梁
９        懸架アーム
９ｃ      固定具
１０      ホース懸架装置
１１      架台
１２      チップボックス
Ｈ        消防ホース
【図１】
0003879216.tif 000002
【図２】
0003879216.tif 000003
【図３】
0003879216.tif 000004